(57)【要約】【課題】装飾柄に応じて、特定の立体形状を容易に選択することができ、その立体形状にも種々の工夫を凝らすことができる立体装飾プレート及びその製造方法を提供すること。【解決手段】第１装飾柄１１とその周囲に配置される第２装飾柄１２とよりなる印刷画像を作成する印刷画像作成工程と、プレートに印刷画像を印刷する印刷工程と、プレートを立体形状に成形する成形工程とを含み、成形工程においては、第２装飾柄１２近傍を成形するための下部型と、第１装飾柄１１近傍を成形するための上部型とを組み合わせて、所望の立体形状に合致すると共に通気性を有する成形型を構成する型構成工程と、プレートを加熱して軟化させる加熱工程と、プレートと成形型とを相対的に接近移動させて、プレートを成形型の表面に沿わせて変形させると共に、成形型の裏面から吸引することによってプレートと成形型とを密着させて成形型の形状を転写させる転写工程とを有する。【選択図】図６
2010162795.tif 000002
【特許請求の範囲】
【請求項１】
写真データを取り込むことにより、当該写真データよりなる第１装飾柄と、該第１装飾柄の周囲に配置される第２装飾柄とよりなる印刷画像を作成する印刷画像作成工程と、
熱可塑性樹脂よりなる平板状のプレートに、上記印刷画像を印刷して印刷部を設ける印刷工程と、
上記プレートの上記印刷部における上記第１装飾柄と上記第２装飾柄の少なくとも一部を所望の立体形状に成形する成形工程とを含み、
該成形工程においては、少なくとも、上記第２装飾柄近傍を成形するための下部型と、上記第１装飾柄近傍を成形するための上部型とを組み合わせて、上記所望の立体形状に合致すると共に通気性を有する成形型を構成する型構成工程と、
上記プレートを加熱して軟化させる加熱工程と、
上記プレートと上記成形型とを相対的に接近移動させて、上記プレートを上記成形型の表面に沿わせて変形させると共に、上記成形型の裏面から吸引することによって上記プレートと上記成形型とを密着させて当該成形型の形状を転写させる転写工程とを有することを特徴とする立体装飾プレートの製造方法。
【請求項２】
請求項１に記載の製造方法により製造され、平板状の周辺部と、該周辺部から突出成形された立体部とを有し、該立体部は、上記第１装飾柄近傍の第１隆起部と、該第１隆起部と突出形状が異なる第２隆起部を組み合わせた異形状を呈していることを特徴とする立体装飾プレート。
【請求項３】
請求項２において、上記立体装飾プレートは、上記周辺部の一部を折り返して脚部とし、該脚部と上記周辺部の端部とを載置面に置くことによって、上記立体部が略正面を向くように載置可能に構成されていることを特徴とする立体装飾プレート。
【請求項４】
請求項３において、上記周辺部の外形形状は長方形であり、当該長方形を２分する線分で区分された一方の領域である第１領域の中央に上記立体部が形成され、上記線分で区分された他方の領域である第２領域には上記脚部形成用のスリットが設けられ、上記線分には上記第１領域と上記第２領域とを折り重ね可能とするための折り返し用のスリット又は溝が設けられ、上記第１領域又は上記第２領域の裏側面には、上記第１領域と上記第２領域とを折り重ねた際に両者を接合するための接合手段が配設されていることを特徴とする立体装飾プレート。
【発明の詳細な説明】
【技術分野】
【０００１】
本発明は、たとえば人間や動物の顔写真あるいは全身写真を含む装飾柄を印刷したプレートであって、その印刷部の少なくとも一部を隆起させて立体部とした立体装飾プレート及びその製造方法に関する。
【背景技術】
【０００２】
置物や掛け物などの装飾用物品等において、特定の人間や動物の顔写真あるいは全身写真を装飾柄として印刷した印刷部を設けることができれば、その商品価値が高まる。たとえば、孫を持つ人にとっては、自分の孫の顔写真を用いた装飾用物品を価値あるものと感じる。また、たとえば、犬などのペットを持つ人にとっては、自分のペットの全身写真を用いた装飾用物品を価値あるものと感じる。
【０００３】
また、上記印刷部が、単に平面状のプレートに印刷されているだけではなく、その装飾柄である顔形状又は全身形状をイメージできる立体形状に隆起していれば、その立体感によって本物に近い親近感やリアリティを与えることができ、上記の装飾用物品の商品価値はさらに高まる。
また、例えば子供の顔写真の周りに、漫画調に表した動物やキャラクターの体等の絵柄を表現することにより、商品に遊び心を加えることもでき、この場合にも商品価値を高められる。
【先行技術文献】
【特許文献】
【０００４】
【特許文献１】特開２００８−１３７３７５号公報
【発明の概要】
【発明が解決しようとする課題】
【０００５】
上記のような印刷部を隆起させた立体部を有するプレート（以下、立体装飾プレートという）は、たとえば、おもちゃ売り場や観光地のお土産店などにおいて、注文を受けた直後に一品ずつ作製して販売する販売形態が主体となると考えられる。このとき、装飾柄に用いる写真データの種類やその周囲の装飾に応じて、特定の立体形状を容易に選択することができることが好ましい。例えば、人の顔とキャラクターの体を組み合わせた装飾柄の場合には、顔の立体形状と、その周囲のキャラクター特有の立体形状が選択できることが好ましい。
【０００６】
一方、上記立体装飾プレートを製造するに当たっては、特許文献１に記載された成形方法及び装置を用いることができる。ところが、特許文献１に記載された技術では、装飾柄に用いる写真データの種類や、その周囲の装飾柄に応じた特定の立体形状を容易に選択することができるとは言いがたく、更なる改善が求められていた。
【０００７】
本発明は、かかる従来の問題点に鑑みてなされたものであって、装飾柄に用いる写真データの種類やその周囲の装飾に応じて、特定の立体形状を容易に選択することができ、かつ、その立体形状にも種々の工夫を凝らすことができる立体装飾プレート及びその製造方法を提供しようとするものである。
【課題を解決するための手段】
【０００８】
第１の発明は、写真データを取り込むことにより、当該写真データよりなる第１装飾柄と、該第１装飾柄の周囲に配置される第２装飾柄とよりなる印刷画像を作成する印刷画像作成工程と、
熱可塑性樹脂よりなる平板状のプレートに、上記印刷画像を印刷して印刷部を設ける印刷工程と、
上記プレートの上記印刷部における上記第１装飾柄と上記第２装飾柄の少なくとも一部を所望の立体形状に成形する成形工程とを含み、
該成形工程においては、少なくとも、上記第２装飾柄近傍を成形するための下部型と、上記第１装飾柄近傍を成形するための上部型とを組み合わせて、上記所望の立体形状に合致すると共に通気性を有する成形型を構成する型構成工程と、
上記プレートを加熱して軟化させる加熱工程と、
上記プレートと上記成形型とを相対的に接近移動させて、上記プレートを上記成形型の表面に沿わせて変形させると共に、上記成形型の裏面から吸引することによって上記プレートと上記成形型とを密着させて当該成形型の形状を転写させる転写工程とを有することを特徴とする立体装飾プレートの製造方法にある（請求項１）。
【０００９】
本発明の製造方法は、上記印刷画像作成工程と成形工程とを含み、さらに、成形工程は、上記型構成工程と加熱工程と転写工程とを含む。これらをすべて具備することによって、非常に商品価値の高い立体装飾プレートを容易に製造することができる。
特に、上記型構成工程では、少なくとも、上記第２装飾柄近傍を成形するための下部型と、上記第１装飾柄近傍を成形するための上部型とを組み合わせて、上記所望の立体形状に合致した成形型を構成する。このとき、下部型と上部型とは、予め準備しておいた複数の下部型のうちの１つと、予め準備しておいた複数の上部型のうちの１つとを組み合わせて構成することができる。そのため、少なくとも、所望の立体形状は、下部型の種類の数をＡ、上部型の種類の数をＢとした場合、Ａ×Ｂの数の種類の中から選択可能である。なお、上部型と下部型との間にさらに中間型を設けることもでき、その場合には、さらに形状の選択可能数が増えることとなる。
【００１０】
また、上記所望の立体形状は、上記成形型の構成の仕方によって容易に変更可能である。そのため、上記立体装飾プレートを製造販売する現場によって簡単にかつスピーディに対応することができる。そして、第１装飾柄に用いる写真データの種類や、その周囲の装飾柄に応じた特定の立体形状を容易に選択することができる。
【００１１】
第２の発明は、上記第１の発明の製造方法により製造され、平板状の周辺部と、該周辺部から突出成形された立体部とを有し、該立体部は、上記第１装飾柄近傍の第１隆起部と、該第１隆起部と突出形状が異なる第２隆起部を組み合わせた異形状を呈していることを特徴とする立体装飾プレートにある（請求項２）。
【００１２】
本発明の立体装飾プレートは、上記立体部が、上記第１装飾柄近傍の第１隆起部と、該第１隆起部と突出形状が異なる第２隆起部を組み合わせた異形状を呈している。そのため、たとえば、上記第１隆起部は、人の顔写真等の第１装飾柄の部分を顔の形をイメージするような鼻部を頂点とした略球面状とし、その周囲の第２隆起部は、例えばキャラクターや動物の体等を採用した第２装飾柄にふさわしい形状とすることができる。そして、立体部が、このような単純でない形状（異形状）を呈しているので、独特な親近感のある外観を醸し出すことができる。それ故、本発明の立体装飾プレートは、従来よりもさらに商品価値の高いものとすることができる。
【図面の簡単な説明】
【００１３】
【図１】実施例１における、立体装飾プレートの製造工程を示す説明図。
【図２】実施例１における、（ａ）印刷工程直後のプレートを示す正面図、（ｂ）そのＡ−Ａ線矢視断面図。
【図３】実施例１における、（ａ）上部型と下部型を組み合わせる前の状態を示す説明図、（ｂ）上部型と下部型を組み合わせた後の状態を示す説明図。
【図４】実施例１における、成形装置の構成及び成形手順を示す説明図。
【図５】実施例１における、（ａ）転写工程の初期段階を示す説明図、（ｂ）転写工程が完了した状態を示す説明図。
【図６】実施例１における、（ａ）立体装飾プレートの正面図、（ｂ）そのＢ−Ｂ線矢視断面図。
【図７】実施例１における、（ａ）ガイド部に設けた座標軸を示す説明図、（ｂ）成形型載置台に設けた座標軸を示す説明図。
【図８】実施例２における、立体装飾プレートの正面図。
【図９】実施例２における、成形型の構成を示す説明図。
【図１０】実施例２における、成形型の構成の別例を示す説明図。
【図１１】実施例２における、成形型の構成の別例を示す説明図。
【図１２】実施例３における、立体装飾プレートの正面図。
【図１３】実施例３における、立体装飾プレートの使用例を示す説明図。
【図１４】実施例４における、立体装飾プレートを使用した置物の例を示す説明図。
【図１５】実施例４における、置物の縦断面から見た構成を示す説明図。
【図１６】実施例５における、パネル状飾り物の構成を示す展開説明図。
【発明を実施するための形態】
【００１４】
第１の発明の製造方法において、上記印刷画像作成工程は、デジタルカメラとコンピュータを用いて容易に実現可能である。汎用のソフトウエアを用いて画像処理を行って、プレートの大きさ等に応じて編集してもよいし、本発明の実施に特化した簡易な専用ソフトウエアを開発して用いることも可能である。具体的な手順としては、デジタルカメラで第１装飾柄とすべきものの写真を撮影し、その写真データをコンピュータに取り込むと共にみ、予め保存しておいた中から選択した第２装飾柄用の画像データと組み合わせて印刷画像を作成する。
なお、写真データは、デジタルカメラを用いて撮影することにより得る方法以外に、既存の写真をスキャニング等してデータ化したものを用いることも可能である。
【００１５】
次に、上記印刷工程は、ある程度厚みのある印刷対象物を処理できるものであれば汎用のインクジェットプリンタ等によって実施することができる。
また、上記印刷工程は、透明のプレートを用い、上記成形工程において突出する表側面の反対側の裏側面となる面に対して反転柄状態で印刷を行って上記印刷部を形成し、その後、該印刷部の表面に白色の被膜を形成することにより行うことが好ましい。
この場合には、上記立体装飾プレートの突出した立体部の表側面には印刷部の層が無く、裏側面のみに存在するので、印刷部が経時的に剥がれていくという不具合を防止することができる。また、上記白色の被膜の形成によって、印刷部の外部からの色彩状態を良好にすることができると共に、成形時に印刷部が剥がれることを防止することができる。
【００１６】
なお、上記立体装飾プレートの基板となる上記熱可塑性樹脂よりなる平板状のプレートとしては、印刷可能な表面を有する熱可塑性樹脂よりなる平板であれば、種々の種類のものを利用できる。たとえば、上述した特許文献１に記載されたＰＥＴや塩化ビニル等よりなる熱軟化性樹脂シートに記録シートをラミネートした熱延展性フィルムと呼ばれるものなどを利用することができる。
【００１７】
また、上記成形型を構成する上部型、下部型、さらに必要に応じて追加する中間型については、例えば、石膏、多孔性の樹脂、ゴム、セラミックスなど様々な材料によって作製することができる。また、各型の通気性は、その材質が本来有する孔を利用することもできるし、型の表側面から裏側面にむけて連通する連通孔を設けることによって確保することもできる。
【００１８】
第２の発明の立体装飾プレートは、上記周辺部の一部を折り返して脚部とし、該脚部と上記周辺部の端部とを載置面に置くことによって、上記立体部が略正面を向くように載置可能に構成されていることが好ましい（請求項３）。
この場合には、上記立体装飾プレートが樹脂を主体としたプレートから構成されていることを利用して、そのもの自体で起立した状態を実現させることが可能となる。そのため、商品の付加価値をさらに高めることができる。
【００１９】
また、上記周辺部の外形形状は長方形であり、当該長方形を２分する線分で区分された一方の領域である第１領域の中央に上記立体部が形成され、上記線分で区分された他方の領域である第２領域には上記脚部形成用のスリットが設けられ、上記線分には上記第１領域と上記第２領域とを折り重ね可能とするための折り返し用のスリット又は溝が設けられ、上記第１領域又は上記第２領域の裏側面には、上記第１領域と上記第２領域とを折り重ねた際に両者を接合するための接合手段が配設されていることが好ましい（請求項４)。
【００２０】
この場合には、上記第１領域と第２領域を重ね合わせることができるので、立体装飾プレート全体の剛性を高めることができ、さらに商品の付加価値を高めることができる。
上記接合手段としては、機械的に引っ掛け構造となるよう周辺部に切り欠きを設けてもよいし、両面テープのような接着手段としてもよい。
【実施例】
【００２１】
（実施例１）
本発明の立体装飾プレート及びその製造方法にかかる実施例につき、図面を用いて説明する。
本例の立体装飾プレート１は、図６に示すごとく、平板状の周辺部１０と、該周辺部１０から突出成形された立体部２とを有し、該立体部２は、第１装飾柄１１近傍の第１隆起部２１と、該第１隆起部２１と突出形状が異なる第２隆起部２２を組み合わせた異形状を呈している。
そして、本例では、上記第１装飾柄１１としては、人間の顔写真を採用した。また、その周囲の第２装飾柄としては、干支にちなんだ牛の体を採用し、これを漫画的に表現した図柄を含むものとした。
また、上記周辺部１０の外形形状は長方形であり、全体形状がはがき大の大きさのカード状となるものである。
【００２２】
上記立体装飾プレート１を製造するに当たっては、図１に示すごとく、印刷画像作成工程Ｓ１と、印刷工程Ｓ２と、成形工程Ｓ３とを行う。さらに、成形工程Ｓ３においては、型構成工程Ｓ３１と、加熱工程Ｓ３２と、転写工程Ｓ３３とを行う。
以下、さらに詳説する。
【００２３】
上記印刷画像作成工程Ｓ１は、デジタルカメラを用いて子供の顔写真を撮影し、その写真データをコンピュータに取り込むと共に、予め保存しておいた中から選択した牛の体を漫画的に表した装飾を含む第２装飾柄用の画像データと組み合わせて印刷画像を作成した。また、本例では、上記印刷画像を、表裏反転の画像データに変換した。
【００２４】
次に、印刷工程Ｓ２は、汎用のインクジェットプリンタにおよそ葉書き大の大きさの熱可塑性樹脂よりなる透明のプレートをセットし、上記印刷画像を印刷した。このとき、プレートの印刷面は、後に成形する立体部２の内側の裏側面となる面に対して行った。
次に、プレート１００の裏側面には、熱可塑性樹脂よりなる白色の樹脂フィルム（図示略）を貼り付けた。これによって、図２に示すごとく、平板状のプレートに第１装飾柄１１と、第１装飾柄１１の周囲に配置される第２装飾柄１２とよりなる印刷画像が印刷された平板状のプレート１００が得られる。なお、本例では、第２装飾柄１２の周囲にも背景図柄を印刷したので、プレート１００の全面が印刷部となっている。
【００２５】
次に、成形工程Ｓ３においては、まず、型構成工程Ｓ３１を行う。
本例では、図３（ａ）（ｂ）に示すごとく、第２装飾柄１２の牛の体に対応して隆起した形状の下部型３１と、第１装飾柄１１の子供の顔に対応して鼻部３２１を頂点として突出させこれを中心にして球面状に隆起した形状の上部型３２を準備し、両者を重ね合わせて１つの成形型３を構成する。上部型３２及び下部型３１は、いずれも石膏によって作製してあり、表側面から裏側面に空気が抜けるような通気性を持たせるための連通孔（図示略）を多数設けてある。上部型３２と下部型３１には、それぞれ複数の係合突起３２５と係合凹部３１５とを設けてあり、これらを組み合わせることで両者の位置決めを行っている。
【００２６】
次に、加熱工程Ｓ３２及び転写工程Ｓ３３を行う。
本例では、これらの工程を行うための装置として、上述した特許文献１に記載された公知の装置を用いた。この装置は、図４に示すごとく、プレート１００の加熱を行うためのヒータ部５１と、プレート１００を保持して上下移動させるためのガイド部５２と、成形型３を載置するための成形型載置台５３とを有している。成形型載置台５３は、図示しない真空ポンプに接続され、載置された成形型３の裏側面から吸引できるように構成されている。
【００２７】
この装置を用い、図４に示すごとく、まずプレート１００とヒータ部５１とを対面配置させ、プレート１００を加熱して軟化させる加熱工程Ｓ３２を行う。このとき、プレート１００の裏側面１０２が、印刷が施されさらに白色の樹脂フィルムが貼り付けられた面である。
【００２８】
次に、プレート１００が軟化した状態となった後、プレート１００を保持したガイド部５２を下降させ、プレート１００を成形型３に接近させる。そして、図５（ａ）に示すごとく、プレート１００を成形型３の表面に沿わせて変形させると共に、成形型３の裏面から吸引することによって、同図（ｂ）に示すごとくプレート１００と成形型３とを密着させて当該成形型３の形状を転写させる。
【００２９】
上記転写工程Ｓ３３を終えた後、プレート１００をガイド部５２から取り外し、本例の立体装飾プレート１が得られた。
図６に示すごとく、立体装飾プレート１は、上述したごとく、平板状の周辺部１０と、該周辺部１０から突出成形された立体部２とを有している。そして、立体部２は、第１装飾柄１１近傍の第１隆起部２１が、子供の顔をイメージした鼻部を頂点とする略球面状の形状となっている。また、その周囲の第２装飾柄１２における牛の体部分には、その輪郭にほぼ合わせて、第１隆起部２１よりも突出量が小さい第２隆起部２２が形成されている。そして、これら第１隆起部２１及び第２隆起部２２を組み合わせた立体部２を有することによって、本例の立体装飾プレート１は、単に装飾柄を印刷しただけのプレートの場合のよりも、リアリティを出すことができ、商品価値を高めることができる。
【００３０】
そして、本例で注目すべきことは、成形型３として、下部型３１と上部型３２とを組み合わせたものを採用したことである。
このため、立体部２の形状を変えたいとき、例えば、第２装飾柄１２を牛の体の図柄から人間の子供の体の図柄あるいは他の動物やキャラクターの体の図柄などに変更し、第２隆起部２２の形状もその図柄に対応した形状に変更したい場合には、下型部３１のみを変更して成形型３を組み直せばよい。
また、第１装飾柄１１を動物の顔などに変更したい場合には、上部型３２を変更して成形型３を組み直せばよい。
【００３１】
このように、立体部２の所望の立体形状は、下部型３１の種類の数をＡ、上部型３２の種類の数をＢ分だけ準備すれば、Ａ×Ｂの数の種類の中から選択可能である。さらに、上部型３２と下部型３１との組み合わせの変更だけで実現できるので、成形時にも特に複雑な作業を必要としない。
以上のように、本例に拠れば、装飾柄に用いる写真データの種類やその周囲の装飾に応じて、特定の立体形状を容易に選択することができ、かつ、その立体形状にも種々の工夫を凝らすことができる。
【００３２】
なお、上記製造方法においては、成形型３をプレート１００の印刷部の成形すべき部分と精度よく合致させるために、装置に工夫を加えた。具体的には、図７（ａ）に示すごとく、プレート１００を保持するガイド部５２の縦横に座標軸となる目盛りＸ１、Ｙ１を刻んでおき、プレートを保持させた際に、印刷した装飾柄の鼻部等の特徴部分Ｐ１１、Ｐ１２の座標位置を見極められるようにしておく。また、図７（ｂ）に示すごとく、成形型載置台５３にも、ガイド部５２の座標軸と合致した座標軸Ｘ２、Ｙ２及び方眼状の線を刻んでおき、成形型を載置する位置を正確に把握できるようにしておく。これによって、同図に示すごとく、成形型３を成形型載置台５３に配置する際には、プレート１００の特徴部分Ｐ１１、Ｐ１２と、これに対応する成形型３の特徴部分Ｐ２１、Ｐ２２の座標位置が一致するように、成形型３を配置することによって、成形位置を正確に管理することができる。
【００３３】
（実施例２）
本例は、図８に示すごとく、実施例１における牛の体をイメージした第２装飾柄１２に代えて、犬の体をイメージした第２装飾柄１３を採用した例である。
この場合には、上述した実施例１の第２隆起部２１の形状が第２装飾柄１３には合致しない。一方、第１装飾柄１１は子供の顔写真であるので、実施例１と同じでよい。
この場合には、図９に示すごとく、実施例１の下部型３１を形状の異なる下部型３３に変更した成形型３０１を構成するよう上記型構成工程Ｓ３１を実施する。その他は実施例１と同様である。このように、本例では、第２装飾柄を変更した場合にも、容易に対応可能である。
【００３４】
図１０には、さらに、ペットである犬の顔写真を第１装飾柄に対応した隆起形状であって、実施例１の場合よりも突出高さが低く、かつ、鼻部３４１の形状を丸みを帯びた形状に変更した上部型３４を採用して成形型３０２を構成した例である。下部型３３は、上記と同様である。
また、図１１には、ペットである犬の顔写真であるが、図１０の場合よりも若干大型の形状を採用する場合の例である。この場合には、上部型３４と下部型３３との間に、中間型３５を追加して、上部型３４の突出高さを高くして成形型３０３を構成する。
このように、成形型としては様々な形状を採用することができる。また、上述した例では、成形型を厚み方向において複数に分割する例を示したが、さらに、例えば上記下部型を幅方向において分割することなども可能である。これにより、さらに型の組み合わせのバリエーションが増え、個々の要望により対応しやすくなる。
【００３５】
（実施例３）
本例は、実施例１のプレート形状を変えた応用例である。
すなわち、図１２に示すごとく、本例の立体装飾プレート１０２は、周辺部１０の外形形状は長方形であり、当該長方形を２分する線分Ｃで区分された一方の領域である第１領域Ｒ１の中央に立体部２が形成されている。上記線分Ｃで区分された他方の領域である第２領域Ｒ２には脚部形成用のスリットＤが設けられている。線分Ｃには第１領域Ｒ１と第２領域Ｒ２とを折り重ね可能とするための折り返し用のスリットが設けられている。この立体装飾プレート１０２の製造方法は、予め上記各スリットが設けられているプレートを用いる以外は実施例１と同じである。
【００３６】
上記立体装飾プレート１０２の裏側面には、接合手段４（図１３）としての両面テープを配設する。
このようにして得られた立体装飾プレート１０２は、図１３に示すごとく、第１領域Ｒ１と第２領域Ｒ２とを、線分Ｃを中心に折り曲げ、重ねあわせ、両者を接合手段４によって接合する。また、第２領域Ｒ２におけるスリットＤの内側の脚部１９を引き起こしす。これにより、立体装飾プレート１０２は、周辺部の下端部１８と脚部１９とを載置面に置くことによって、上記立体部２が略正面を向くように載置可能となる。
その他は、実施例１と同様の作用効果が得られる。
【００３７】
（実施例４）
本例は、図１４、図１５に示すごとく、箱型の置物６の内部に立体装飾プレート１０３を組み込んだ装飾品を作製した例である。
置物６は、直方体形状を有し、その前方が開放されており、内部背面に立体部２を有する立体装飾プレート１０３を貼設してある。置物６の下方には、ブラックライト部６２が設けられており、紫外線が上方の立体装飾プレート１０３に向けて照射されるように構成してある。
【００３８】
上記立体装飾プレート１０３は、実施例１と同様に作製した後、周辺部１０の表面に、ブラックライト（紫外線）を照射することによって発光するビーズ類６７を複数貼り付けて作製した。
本例の置物６は、立体部２によるリアリティのある装飾演出と、その周りのビーズ類の演出とが相俟って独特な雰囲気を醸し出すことができる。
その他は実施例１と同様の作用効果が得られる。
【００３９】
（実施例５）
本例は、図１６に示すごとく、パネル状飾り物７の内部に２つの立体装飾プレート１０４、１０５を組み込んだ例である。
パネル状飾り物７に組み込む立体装飾プレート１０４、１０５は、上述した実施例１と同様の製造方法によって作製し、それぞれ立体部２を有すると共に、その周辺部を円形状の輪郭となるように切り取ったものである。
【００４０】
そして、パネル状飾り物７は、同図に示すごとく、複数のシートを積層して作製する。裏側シート７１は長方形状を有するシートであり、スペーサ用シート７２は上記立体装飾プレート１０４、１０５を配置する部分に貫通穴７２４、７２５を設けたシートである。また、表側シート７３は、上記立体装飾プレート１０４、１０５の各立体部２を露出させるための貫通穴７３４、７３５を設けたシートである。そして、これらを同図に示すごとく積み重ねて接合することにより得られる。
このようにして得られたパネル状飾り物７は、複数の立体装飾プレート１０４、１０５を１つの物品内に組み込んでいるので、さらに商品価値を高めることが可能である。
【００４１】
なお、本例では、上記立体装飾プレート１０４、１０５として、実施例１と同様に、立体部２が、第１装飾柄近傍の第１隆起部と、該第１隆起部と突出形状が異なる第２隆起部を組み合わせた異形状を呈しているものを採用したが、立体装飾プレート１０４、１０５の少なくとも一方を、単純に第１装飾部のみを隆起させた立体部を有する立体装飾プレートに変更することもできる。
【符号の説明】
【００４２】
１  立体装飾プレート
１０  周辺部
１００  プレート
１１  第１装飾部
１２  第２装飾部
２  立体部
２１  第１隆起部
２２  第２隆起部
３  成形型
３１、３３  下部型
３２、３４  上部型
３５  中間型
【図１】
2010162795.tif 000003
【図２】
2010162795.tif 000004
【図３】
2010162795.tif 000005
【図４】
2010162795.tif 000006
【図５】
2010162795.tif 000007
【図６】
2010162795.tif 000008
【図７】
2010162795.tif 000009
【図８】
2010162795.tif 000010
【図９】
2010162795.tif 000011
【図１０】
2010162795.tif 000012
【図１１】
2010162795.tif 000013
【図１２】
2010162795.tif 000014
【図１３】
2010162795.tif 000015
【図１４】
2010162795.tif 000016
【図１５】
2010162795.tif 000017
【図１６】
2010162795.tif 000018